(57)【特許請求の範囲】
【請求項１】
無線通信機能を備えるＳＩＭカードであって、
当該ＳＩＭカードが挿入された携帯端末装置との間で通信を行い、前記携帯端末装置に割り当てられた識別ＩＤを読み出す携帯端末接続手段と、
前記携帯端末接続手段により前記携帯端末装置から読み出した識別ＩＤと、受信レベルまたは送信レベルの一方または両方と、の対応関係を表す対応テーブルを記憶する記憶手段と、
前記携帯端末装置に割り当てられた前記識別ＩＤに対応する前記受信レベルまたは前記送信レベルの一方または両方を特定し、その特定した前記受信レベルまたは前記送信レベルにより前記無線通信機能を行うよう制御する制御手段と、
を備えるＳＩＭカード。
【請求項２】
請求項１記載のＳＩＭカードであって、
前記携帯端末装置には各種情報を出力する出力部を備え、
前記制御手段は、前記携帯端末装置に割り当てられた前記識別ＩＤに対応する前記受信レベルまたは前記送信レベルの一方または両方を特定できない場合、前記ＳＩＭカードの受信レベルまたは送信レベルを調整する必要がある旨を前記出力部に出力させる、
ＳＩＭカード。
【請求項３】
請求項１または２記載のＳＩＭカードであって、
前記制御手段は、前記携帯端末装置に割り当てられた前記識別ＩＤに対応する前記受信レベルまたは前記送信レベルの一方または両方を特定できない場合、前記携帯端末装置に割り当てられた前記識別ＩＤと所定値の受信レベルまたは所定値の送信レベルとを対応させて記憶するよう制御する、ＳＩＭカード。
【請求項４】
請求項１から３のいずれか一項に記載のＳＩＭカードであって、
前記携帯端末装置には通信網に接続可能な通信手段を備え、
前記制御手段は、前記通信手段により受信した前記対応テーブルを前記記憶手段に記憶するよう制御する、
ＳＩＭカード。
【発明の詳細な説明】
【技術分野】
【０００１】
本発明は、携帯端末装置に挿抜可能なＳＩＭカードに関するものである。
【背景技術】
【０００２】
近年、携帯電話に代表される携帯端末装置には、ＳＩＭ（Subscriber Identity Module card）カードを挿抜可能なものがある。携帯端末装置は、ＳＩＭカードに備わるＳＩＭチップに物理的に接触しており、その接触箇所を介してＳＩＭチップへのデータの書き込み処理、またはＳＩＭチップからのデータの読み取り処理を実施する。
【０００３】
さらに、特許文献１には、ＲＦ−ＩＤ（Radio Frequency Identification）タグをさらに備えたＳＩＭカードを挿抜可能な携帯端末装置について開示されている。ＲＦ−ＩＤタグは、ＳＩＭチップへのデータの書き込み処理、またはＳＩＭチップからのデータの読み取り処理を行って、ＲＦ−ＩＤリーダ／ライタとの間で無線通信を実施する。
【特許文献１】特表２００７−５０７７６６号公報
【発明の開示】
【発明が解決しようとする課題】
【０００４】
しかしながら、ＳＩＭカードは様々な構造の携帯端末装置に挿抜されることが想定されるが、携帯端末装置に挿入されたときのＳＩＭカード近辺の構造が携帯端末装置毎に異なるため、ＳＩＭカードに備わるＲＦ−ＩＤタグの電波環境もまた異なる。例えば、ＳＩＭカードが携帯端末装置に備わるバッテリに面して位置に挿入されている場合と、そのバッテリから離れた位置に挿入されている場合と、を比較すると、ある距離だけ離れた位置にあるＲＦ−ＩＤリーダ／ライタからＲＦ−ＩＤタグが受信する電波の受信強度は、前者の方が小さくなる傾向にある。
【０００５】
このように、ＳＩＭカードに備わるＲＦ−ＩＤタグは、電波環境、特にＲＦ−ＩＤタグが受信する電波の受信強度が、そのＳＩＭカードが挿入される携帯端末装置の構造に応じて変化するため、無線通信を行うために当該ＲＦ−ＩＤタグが最低限必要とする受信強度の閾値を、当該ＲＦ−ＩＤタグが受信する電波の受信強度が最も低い構造を有する携帯端末装置に合わせて設定される必要がある。この結果、ＲＦ−ＩＤタグは、受信強度の小さな電波をも無線通信用の電波として受信することとなり、ノイズによる無線通信への影響が大きくなってしまう。このため、ＳＩＭカードが挿入される携帯端末装置の構造に応じて、無線通信を行うために当該ＲＦ−ＩＤタグが最低限必要とする受信強度の閾値を設定することが求められる。
【０００６】
また同様に、ＳＩＭカードが携帯端末装置に備わるバッテリの裏側に面した位置に挿入されている場合と、そのバッテリのおもて面に面した位置に挿入されている場合、あるいはバッテリから離れた位置に挿入されている場合などを比較すると、ある距離だけ離れた位置にあるＲＦ−ＩＤリーダ／ライタでの受信レベルを一定にするためのＲＦ−ＩＤタグから送信される信号のの送信出力は、それぞれ異なる。そのため、ＳＩＭカードが挿入される携帯端末装置の構造に応じて、無線通信を行うための当該ＲＦ−ＩＤタグの送信出力レベルを設定することが求められる。
【０００７】
本発明は、上記事情に鑑みてなされたもので、携帯端末装置に挿抜可能であり、さらに無線通信機能を備えるＳＩＭカードであって、挿入される携帯端末装置の構造に応じて、ＳＩＭカードの無線通信機能が受信信号有りと判定する受信強度の閾値、及び信号を送信するときの送信出力を好適に設定することができるＳＩＭカードを提供することを目的とする。
【課題を解決するための手段】
【０００８】
本発明のＳＩＭカードは、無線通信機能を備えるＳＩＭカードであって、当該ＳＩＭカードが挿入された前記携帯端末装置との間で通信を行い、前記携帯端末装置に割り当てられた識別ＩＤを読み出す携帯端末接続手段と、前記携帯端末接続手段により前記携帯端末装置から読み出した識別ＩＤと、受信レベルまたは送信レベルの一方または両方と、の対応関係を表す対応テーブルを記憶する記憶手段と、前記携帯端末装置に割り当てられた前記識別ＩＤに対応する前記受信レベルまたは前記送信レベルの一方または両方を特定し、その特定した前記受信レベルまたは前記送信レベルにより前記無線通信機能を行うよう制御する制御手段と、を備えるものである。
【０００９】
この構成により、ＳＩＭカードが挿入される携帯端末装置の構造に応じて、ＳＩＭカードの無線通信機能が最低限必要とする受信強度の閾値を好適に設定することができる。
【００１０】
また、本発明のＳＩＭカードは、前記携帯端末装置には各種情報を出力する出力部を備え、前記制御手段が、前記当該携帯端末装置に割り当てられた前記識別ＩＤに対応する前記受信レベルまたは前記送信レベルの一方または両方を特定できない場合、前記ＳＩＭカードの受信レベルまたは送信レベルを調整する必要がある旨を前記出力部に出力させる、ものを含む。
【００１１】
この構成により、携帯端末装置に挿入されたＳＩＭカードに記憶されている対応テーブルには、当該携帯端末装置に対応する受信レベルが記述されていないことをユーザに通知することができる。
【００１２】
また、本発明のＳＩＭカードは、前記制御手段が、前記当該携帯端末装置に割り当てられた前記識別ＩＤに対応する前記受信レベルまたは前記送信レベルの一方または両方を特定できない場合、前記当該携帯端末装置に割り当てられた前記識別ＩＤと所定値の受信レベルまたは所定値の送信レベルとを対応させて記憶するよう制御する、ものを含む。
【００１３】
この構成により、携帯端末装置に挿入されたＳＩＭカードに記憶されている対応テーブルに、自装置（携帯端末装置）に対応する受信レベルが記述されていなければ、自装置（携帯端末装置）に対応する受信レベルをその対応テーブルに新たに追加することができる。
【００１４】
また、本発明のＳＩＭカードは、前記携帯端末装置には通信網に接続可能な通信手段を備え、前記制御手段が、前記通信手段により受信した前記対応テーブルを前記記憶手段に記憶するよう制御する、ものを含む。
【００１５】
この構成により、ＳＩＭカードに設定すべき受信レベルを常に最新のものに更新することができる。
【発明の効果】
【００１６】
本発明のＳＩＭカードによれば、ＳＩＭカードが挿入される携帯端末装置の構造に応じて、ＳＩＭカードの無線通信機能が最低限必要とする受信強度の閾値または送信出力を好適に設定することができる。
【発明を実施するための最良の形態】
【００１７】
（実施の形態１）
以下、本発明の第１の実施の形態の携帯端末装置について詳細に説明する。まず、本発明の実施の形態の携帯端末装置における、ＳＩＭカードを挿抜可能な構造の一例を説明する。図１に、本発明の実施の形態の携帯端末装置の斜視図を示す。図１に示す携帯端末装置は、ディスプレイ、操作キーなどを筐体表面に、回路基板を筐体内部にそれぞれ備える携帯端末装置本体１１、携帯端末装置本体１１の回路基板に電力を供給するバッテリ１２、及びバッテリ１２を保護するカバー１３を含んで構成される。図１の携帯端末装置は、ＳＩＭカード２が筐体内部に挿入される構造であり、ＳＩＭカード２、バッテリ１２、カバー３がこの順に携帯端末装置本体１１に取り付けられる。また、ＳＩＭカード２は、ＳＩＭチップ２１、無線回路２２を含んで構成される。携帯端末装置本体１１に設けられたＳＩＭカード２の挿入口には、ＳＩＭカード２の表面に露出するＳＩＭチップ２１の導体板に接触する接続端子が設けられており、携帯端末装置本体１１とＳＩＭカード２とは、その接続端子を介して信号の送受信を行う。
【００１８】
本発明の実施の形態の携帯端末装置は、図１に示す構造のものに限られるものではなく、ＳＩＭカードを挿抜可能な様々な構造を有する携帯端末装置に適用可能である。ＳＩＭカードを挿抜可能な構造やＳＩＭカード近辺の構造、材質が異なる様々な携帯端末装置にあるＳＩＭカードを挿入する場合、ＳＩＭカードに備わる無線回路の電波環境も異なるが、本発明の実施の形態の携帯端末装置は、この電波環境に適した、無線通信を行うために当該無線回路が最低限必要とする受信強度の閾値または信号を送信するときの送信出力を設定することを実現する。
【００１９】
次に、図２に示す、本発明の実施の形態の携帯端末装置及びＳＩＭカードの機能ブロック図を参照して、本発明の実施の形態の携帯端末装置及びＳＩＭカードが実行する処理について説明する。
【００２０】
携帯端末装置本体１１は、セルラー送受信部１１１、記憶部１１２、ＳＩＭカード接続部１１３、制御部１１４を含んで構成される。セルラー送受信部１１１は、無線基地局（図２に図示せず）との間で取り決められた所定の通信方式に則って、アンテナから入力した電気信号を復調し、さらに復号化を施してデジタルデータを取得する、または、デジタルデータに暗号化を施し、さらに変調した電気信号をアンテナに出力する。所定の通信方式としては、ＰＤＣ（Personal Digital Cellular）方式、ＧＳＭ（Global System for Mobile Communication）方式、ＩＭＴ（International Mobile Telecommunications）−２０００で標準化された方式、などが考えられる。記憶部１１２は、制御部１１４が実行するプログラムや、そのプログラムを実行することによって生じる演算結果、および、ＳＩＭカード接続部１１３を介してＳＩＭカード２から入力したデータ、などの各種データを記憶する。ＳＩＭカード接続部１１３は、上述した、携帯端末装置本体１１のＳＩＭカード２の挿入口に設けられた接続端子に相当し、ＳＩＭカード２との間で信号の入出力を行う。制御部１１４は、記憶部１１２に記憶されている各種プログラムを参照して、セルラー送受信部１１１による無線通信制御、ＳＩＭカード２との間でのデータの入出力制御、記憶部１１２へのデータの書き込み、読み取り制御、などの各種制御を実行する。
【００２１】
一方、ＳＩＭカード２は、記憶部２１１、携帯端末接続部２１２、制御部２１３、近距離無線送受信部２２を含んで構成される。記憶部２１１は、制御部２１３が実行するプログラムや、そのプログラムを実行することによって生じる演算結果、携帯端末接続部２１２を介して携帯端末装置本体１１から入力したデータ、識別ＩＤと受信レベル及び送信レベルとの対応関係を表す対応テーブル（対応テーブルについては後述する。）、などの各種データを記憶する。携帯端末接続部２１２は、上述した、ＳＩＭカード２の表面に露出するＳＩＭチップ２１の導体板に相当し、携帯端末装置本体１１との間で信号の入出力を行う。制御部２１３は、記憶部２１１に記憶されている各種プログラムを参照して、近距離無線送受信部２２による無線通信制御、携帯端末装置本体１１との間でのデータの入出力制御、記憶部２１１へのデータの書き込み、読み取り制御、などの各種制御を実行する。近距離無線送受信部２２は、無線回路２２に相当し、無線回路２２のアンテナを介して、４００ＭＨｚ帯特定小電力無線、ＲＦＩＤ（Radio Frequency Identification：無線周波数識別）で使用される短距離通信用の電波やＵＷＢ（Ultra Wide Band：超広帯域無線）等の電波を介して、所定の通信プロトコルに基づき、信号の送受信を行う。
【００２２】
続いて、ＳＩＭカード２の記憶部２１１に記憶される対応テーブルについて説明する。図３に、本発明の実施の形態のＳＩＭカードが記憶する対応テーブルの一例を示す。対応テーブルは、三つの情報の対応関係を示す。一つ目の情報は、携帯端末装置の種別を識別する携帯端末識別ＩＤ（製造元、製品名、製造日などを識別するＩＤ）であり、二つ目の情報は、受信レベル（受信強度）を表す数値であり、三つ目の情報は、送信レベル（送信出力）を表す数値である。携帯端末装置には、製造元識別番号（製造元を識別するＩＤ）や製品識別番号（製品名や型式を識別するＩＤ）が割り当てられている。対応テーブルでは、携帯端末識別ＩＤとして例えば製品識別番号を用いて、その製品識別番号毎に受信レベルを対応させている。なお、各製品識別番号に割り当てる受信レベルの数値は、予め、その製品識別番号により特定される携帯端末装置にＳＩＭカード２を挿入した状態で、ある距離だけ離れた位置にあるＲＦ−ＩＤリーダ／ライタから無線回路２２が受信する電波の受信強度を測定し、その測定した受信強度の数値を基に受信レベルを算出しておく（例えば、測定した受信強度の７０％の数値を受信レベルとする。）。また、各製品識別番号に割り当てる受信レベルの数値は、予め、その製品識別番号により特定される携帯端末装置にＳＩＭカード２を挿入した状態で、無線回路２２からある距離だけ離れた位置にあるＲＦ−ＩＤリーダ／ライタへ送信する電波の受信強度を測定し、その測定した送信強度の数値を基に送信レベルを算出しておく。このようにして、各製品識別番号毎に受信レベル及び送信レベルを対応させて作成した対応テーブルを、ＳＩＭカード２の記憶部２１１に記憶しておく。
【００２３】
次に、本発明の実施の形態の携帯端末装置による処理の流れについて、図４に示す、本発明の実施の形態の携帯端末装置による処理の流れを表すフローチャートを参照して、説明する。
【００２４】
携帯端末装置は、ＳＩＭカードが装着されると、ＳＩＭチップ２１に記憶された対応テーブルをＳＩＭチップ２１から読み取り（ステップ４０１）、その対応テーブルのなかから自装置（携帯端末装置）の携帯端末識別ＩＤを検索する（ステップ４０２）。携帯端末装置は、その対応テーブルのなかから自装置（携帯端末装置）の携帯端末識別ＩＤを検出することができれば（ステップ４０３、Ｙ）、その携帯端末識別ＩＤに対応する受信レベル及び送信レベルを読み取り（ステップ４０４）、その読み取った受信レベルと、その受信レベルを超える受信強度の電波を受信して無線回路２２に無線通信を行うよう要求する制御信号、及び、読み取った送信レベルと、その送信レベルで無線回路２２が無線通信を行うよう要求する制御信号、をＳＩＭチップ２１に出力する（ステップ４０５）。
【００２５】
一方、携帯端末装置は、ＳＩＭチップ２１から読み取った対応テーブルのなかから自装置（携帯端末装置）の携帯端末識別ＩＤを検出することができなければ（ステップ４０３、Ｎ）、自装置（携帯端末装置）の携帯端末識別ＩＤが対応テーブルに無い旨をディスプレイ、スピーカ、またはバイブレーションなどによって装置利用者に通知する（ステップ４０６）。ステップ４０６の後、携帯端末装置は、ＳＩＭカード２の無線回路２２が受信する受信強度の閾値と送信出力を手動で設定する（すなわち、対応テーブル作成時に、ある距離だけ離れた位置にあるＲＦ−ＩＤリーダ／ライタから無線回路２２が受信する電波の受信強度あるいは無線回路２２からＲＦ−ＩＤリーダ／ライタへ送信する電波の送信出力を測定し、その測定した受信強度及び送信出力の数値を基に受信レベル、送信レベルを算出しておいたように、この工程を装置利用者に行わせる）ことを促すメッセージをディスプレイに出力するようにしてもよい（ステップ４０７）。携帯端末装置は、手動による受信レベル及び送信レベルの設定が終了すると（ステップ４０８、Ｙ）、その設定した受信レベルと、その受信レベルを超える受信強度の電波を受信して無線回路２２に無線通信を行うよう要求する制御信号、及び、読み取った送信レベルと、その送信レベルで無線回路２２が無線通信を行うよう要求する制御信号とを、ＳＩＭチップ２１に出力する（ステップ４０９）とともに、自装置（携帯端末装置）の携帯端末識別ＩＤとその設定した受信レベル及び送信レベルとの対応関係を対応テーブルに新たに記憶するよう要求する制御信号をＳＩＭチップ２１に出力する（ステップ４１０）。そして、ステップ４０４の処理にてＳＩＭチップ２１から読み取った受信レベル及び送信レベル、またはステップ４０８の処理にて手動にて設定した受信レベル及び送信レベルと、ＳＩＭチップ２１から読み取ったＳＩＭカード２の識別ＩＤと、を自装置（携帯端末装置）の記憶部１１２に記憶する（ステップ４１１またはステップ４１２）。
【００２６】
以上、本発明の実施の形態の携帯端末装置によれば、ＳＩＭカード２に備わる無線回路２２が受信する電波の受信レベル及び送信レベルを、予め算出された最適値に設定することにより、携帯端末装置の構造に適した送受信レベルによって無線回路２２が無線通信を行うことができる。
【００２７】
図４のフローチャートを参照して説明した処理は、携帯端末装置がＳＩＭカード２のＳＩＭチップ２１に記憶された対応テーブルを参照して、ＳＩＭカード２の無線回路２２が受信する電波の受信強度の閾値及び送信出力を制御するものであった。別の形態として、携帯端末装置は、ＳＩＭカード２が一度挿入されたときに、そのＳＩＭカード２のＳＩＭチップ２１から読み出した対応テーブルを携帯端末装置の記憶部１１２に記憶しておき、その後、ＳＩＭカード２が携帯端末装置本体１１から取り外され再度挿入されたときには、携帯端末装置の記憶部１１２に記憶しておいた対応テーブルを参照して、ＳＩＭカード２の無線回路２２が受信する電波の受信強度の閾値及び送信出力を制御することもできる。この別の形態の処理を、以降説明する。
【００２８】
図４のフローチャートを参照して説明した処理が、携帯端末装置にＳＩＭカードが挿入された最初の機会であったとすると、携帯端末装置は、ステップ４０４の処理にてＳＩＭチップ２１から読み取った受信レベル及び送信レベル、またはステップ４０８の処理にて手動にて設定した受信レベル及び送信レベル、と、ＳＩＭチップ２１から読み取ったＳＩＭカード２の識別ＩＤと、を自装置（携帯端末装置）の記憶部１１２に記憶する（ステップ４１１またはステップ４１２）。携帯端末装置は、挿入されたことがないＳＩＭカードが挿入される度に（挿入されたことがあるかないかは、今回挿入されたＳＩＭカードの識別ＩＤが、既に記憶部１１２に記憶されているＳＩＭカードの識別ＩＤと一致するか否かによって判定する。この処理は、後述するステップ６０３の処理に対応する。）、受信レベル及び送信レベルとＳＩＭカード２の識別ＩＤとを自装置（携帯端末装置）の記憶部１１２に記憶するため、図５に示す、本発明の実施の形態の携帯端末装置が記憶する対応テーブルの一例のように、ＳＩＭ識別ＩＤ（ＳＩＭカードの識別ＩＤ）と受信レベル及び送信レベルの三つの情報から構成される対応テーブルが生成される。
【００２９】
その後、携帯端末装置は、一度挿入されたことのあるＳＩＭカードが再度挿入されると、図６の本発明の実施の形態の携帯端末装置による処理の流れを表すフローチャートに示すように、処理を実行する。
【００３０】
携帯端末装置は、ＳＩＭカードが装着されると、自装置の記憶部１１２に記憶された対応テーブルを参照して（ステップ６０１）、その対応テーブルのなかから挿入されたＳＩＭカードの識別ＩＤを検索する（ステップ６０２）。携帯端末装置は、その対応テーブルのなかから挿入されたＳＩＭカードの識別ＩＤを検出することができれば（ステップ６０３、Ｙ）、そのＳＩＭカードの識別ＩＤに対応する受信レベル及び送信レベルを読み取り（ステップ６０４）、その読み取った受信レベルと、その受信レベルを超える受信強度の電波を受信して無線回路２２に無線通信を行うよう要求する制御信号、及び読み取った送信レベルと、その送信レベルで無線回路２２が無線通信を行うよう要求する制御信号とを、ＳＩＭチップ２１に出力する（ステップ６０５）。さらに、携帯端末装置は、自装置（携帯端末装置）の携帯端末識別ＩＤとその読み取った受信レベル及び送信レベルとの対応関係を対応テーブルに新たに記憶するよう要求する制御信号をＳＩＭチップ２１に出力する（ステップ６０６）
【００３１】
一方、携帯端末装置は、自装置の記憶部１１２から読み取った対応テーブルのなかから挿入されたＳＩＭカードの識別ＩＤを検出することができなければ（ステップ６０３、Ｎ）、挿入されたＳＩＭカードの識別ＩＤが対応テーブルに無い旨をディスプレイ、スピーカ、またはバイブレーションなどによって装置利用者に通知する（ステップ６０７）。ステップ６０７の処理の後、携帯端末装置は、挿入されたＳＩＭカード２のＳＩＭチップ２１に記憶された対応テーブルを参照して、当該携帯端末装置の携帯端末識別ＩＤに対応する受信レベル及び送信レベルを取得すべく、図４のフローチャートにおけるステップ４０１の処理に移行する（「Ａ」へ。）。
【００３２】
図６のフローチャートに示す一連の処理によって、携帯端末装置は、まず、携帯端末装置の記憶部１１２に記憶された対応テーブル（ＳＩＭ識別ＩＤと受信レベル及び送信レベルの三つの情報から構成される対応テーブル）を参照して受信レベル及び送信レベルを取得しようとし、携帯端末装置の記憶部１１２に記憶された対応テーブルからは受信レベル及び送信レベルを取得できなければ、ＳＩＭチップ２１に記憶された対応テーブル（携帯端末識別ＩＤと受信レベル及び送信レベルの三つの情報から構成される対応テーブル）を参照して受信レベル及び送信レベルを取得しようとし、ＳＩＭチップ２１に記憶された対応テーブルからは受信レベル及び送信レベルを取得できなければ、受信レベル及び送信レベルを手動で設定するよう装置利用者に促す。
【００３３】
以上のように、ＳＩＭカード２のＳＩＭチップ２１から読み出した対応テーブルを携帯端末装置の記憶部１１２に記憶しておき、その後、ＳＩＭカード２が携帯端末装置本体１１から取り外され再度挿入されたときには、携帯端末装置の記憶部１１２に記憶しておいた対応テーブルを参照して、ＳＩＭカード２の無線回路２２が受信する電波の受信強度の閾値及び送信出力を制御することによって、携帯端末装置は、一度挿入されたことのあるＳＩＭカード２に対しては即座にそのＳＩＭカード２の無線回路２２が通信する電波の送受信強度を制御することができる。
【００３４】
さらに、図４、図６のフローチャートを参照して説明した処理では、携帯端末装置は、ＳＩＭカード２に記憶された対応テーブルを読み取り、図５に示す、ＳＩＭ識別ＩＤと受信レベル及び送信レベルの三つの情報から構成される対応テーブルを携帯端末装置の記憶部１１２に記憶することについて説明したが、携帯端末装置に備わるセルラー送受信部１１１を介して、当該携帯端末装置の携帯端末識別ＩＤに対応するＳＩＭ識別ＩＤと受信レベル及び送信レベルの三つの情報から構成される対応テーブルについての情報を受信し、その対応テーブルを記憶部１１２に記憶する構成であっても構わない。この構成により、ＳＩＭカードに設定すべき受信レベル及び送信レベルを常に最新のものに更新することができる。
【００３５】
（実施の形態２）
実施の形態１では、ＳＩＭカードが装着されたときにＳＩＭチップ２１に記憶された対応テーブルをＳＩＭチップ２１から読み取る携帯端末装置を対象にして説明した。これに対して実施の形態２では、携帯端末装置に装着されたときに携帯端末識別ＩＤを読み取るＳＩＭカードを対象とする。
【００３６】
そこで、図７を用いながら本実施の形態によるＳＩＭカードの処理の流れを説明する。まず、ＳＩＭカードが携帯端末装置に装着されると、制御部２１３は携帯端末接続部２１２を介して携帯端末装置から携帯端末識別ＩＤを読み取る（ステップ７０１）。そして、制御部２１３は読み取った携帯端末識別ＩＤが記憶部２１１に記憶されている対応テーブルに書き込まれているか否かを検索する（ステップ７０２）。
【００３７】
ステップ７０２において携帯端末識別ＩＤが検索できれば（ステップ７０３、Ｙ）、制御部２１３は携帯端末識別ＩＤに対応した受信レベル及び送信レベルを対応テーブルから読み取る（ステップ７０４）。これによって、無線回路２２により受信される受信データは対応テーブルから読み取った受信レベルを閾値として受信可能か否かを判定することになる。同様に、無線回路２２から送信する送信データについても、対応テーブルから読み取った送信レベルで行うことになる。
【００３８】
一方、ステップ７０２において携帯端末識別ＩＤが検出できなければ（ステップ７０３、Ｎ）、携帯端末識別ＩＤが対応テーブルに無い旨を携帯端末装置のディスプレイ、スピーカ、またはバイブレーションなどによって装置利用者に通知する（ステップ７０５）。
【００３９】
ステップ７０５に続いて、無線回路２２が受信する受信強度の閾値、及び無線回路２２が送信する送信出力が、例えば第１の実施の形態で説明した方法のような手段で設定されると（ステップ７０６、Ｙ）、制御部２１３は携帯端末識別ＩＤに対応した受信レベルと送信レベルを記憶部２１１に記憶する（ステップ７０７）。なお、ステップ７０６で受信強度の閾値及び送信出力が設定されると、以降は無線回路２２により受信される受信データはその値を基準として受信可能か否かを判定することになり、無線回路２２から送信する送信データは対応テーブルから読み取った送信レベルで行うことになる。
【００４０】
以上、本実施の形態によれば、ＳＩＭカード２に備わる無線回路２２が受信する電波の受信レベル及び無線回路２２が送信する電波の送信レベルを、予め算出された最適値に設定することにより、携帯端末装置の構造に適した受信レベル及び送信レベルによって無線回路２２が無線通信を行うことができる。
【００４１】
なお、携帯端末装置に備わるセルラー送受信部１１１を介して、当該携帯端末装置の携帯端末識別ＩＤに対応するＳＩＭ識別ＩＤと受信レベル及び送信レベルの三つの情報から構成される対応テーブルについての情報を受信し、その対応テーブルを携帯端末接続部２１２を介して記憶部２１１に記憶する構成であっても構わない。この構成により、ＳＩＭカードに設定すべき受信レベル及び送信レベルを常に最新のものに更新することができる。
【産業上の利用可能性】
【００４２】
本発明の携帯端末装置、及びＳＩＭカードによれば、ＳＩＭカードが挿入される携帯端末装置の構造に応じて、ＳＩＭカードの無線通信機能が最低限必要とする受信強度の閾値及び送信出力を好適に設定することができるという効果を奏し、ＳＩＭカードを挿抜可能な携帯端末装置の分野において有用である。
【図面の簡単な説明】
【００４３】
【図１】本発明の実施の形態１の携帯端末装置の斜視図
【図２】本発明の実施の形態１の携帯端末装置及びＳＩＭカードの機能ブロック図
【図３】本発明の実施の形態１のＳＩＭカードが記憶する対応テーブルの一例
【図４】本発明の実施の形態１の携帯端末装置による処理の流れを表すフローチャート
【図５】本発明の実施の形態１の携帯端末装置が記憶する対応テーブルの一例
【図６】本発明の実施の形態１の携帯端末装置による処理の流れを表すフローチャート
【図７】本発明の実施の形態２の携帯端末装置による処理の流れを表すフローチャート
【符号の説明】
【００４４】
１１  携帯端末装置本体
１１１  セルラー送受信部
１１２  記憶部
１１３  ＳＩＭカード接続部
１１４  制御部
１２  バッテリ
１３  カバー
２  ＳＩＭカード
２１  ＳＩＭチップ
２１１  記憶部
２１２  携帯端末接続部
２１３  制御部
２２  無線回路、近距離無線送受信部
【図１】
0004990727.tif 000002
【図２】
0004990727.tif 000003
【図３】
0004990727.tif 000004
【図４】
0004990727.tif 000005
【図５】
0004990727.tif 000006
【図６】
0004990727.tif 000007
【図７】
0004990727.tif 000008